(57)【特許請求の範囲】
【請求項１】
誘導発熱して回転するローラシェルと、前記ローラシェルの端面に締付ボルトにより固定されるジャーナルを備えた誘導発熱ローラ装置において、前記ローラシェルの肉厚内に、前記ローラシェルの回転軸心方向に沿って延びる穴を設けるとともに、前記穴に連なる貫通孔を前記ジャーナルに設け、前記穴の内部に、回転アンバランスを修正するための重錘を挿入し、前記重錘を、前記ジャーナルに設けた貫通孔より挿入された押えネジにより押さえつけて、前記穴の内部に固定してなる誘導発熱ローラ装置。
【請求項２】
ジャーナルに設けた貫通孔は、ローラシェルとジャーナルを固定する締付ボルト挿入孔であることを特徴とする請求項１に記載の誘導発熱ローラ装置。
【請求項３】
ローラシェルの肉厚内に、ローラシェルの回転軸心方向に沿って延びる複数の気液二相の熱媒体を封入するジャケット室が周方向に形成され、重錘を挿入する穴は、前記ジャケット室間の肉厚内であることを特徴とする請求項１又は請求項２に記載の誘導発熱ローラ装置。
【発明の詳細な説明】
【０００１】
【発明の属する技術分野】
本発明は回転する誘導発熱ローラ装置に関する。
【０００２】
【従来の技術】
周知のように誘導発熱ローラ装置は、回転するローラの内部に、鉄心と、これに巻装された誘導コイルとからなる誘導発熱機構を備えている。この構成の一例を図４によって説明すると、１はローラシェル、２はその両側に一体的に取り付けられてあるジャーナルで、これは軸受３を介して機台４に回転自在に支持されてあり、任意の駆動源によって回転駆動される。
【０００３】
５は誘導発熱機構で、筒状の鉄心６と、これに巻装される誘導コイル７とによって構成されている。誘導発熱機構５はその両側を支持ロッド８によりローラシェル１の内部に支持されている。支持ロッド８は回転が拘束された状態でジャーナル２内に挿通され、軸受９を介してジャーナル２に支持されている。誘導コイル７はリード線１０に接続され、このリード線１０は、支持ロッド８内を通って外部に導出され、外部の交流電源に接続されている。
【０００４】
このような構成の誘導発熱ローラ装置において、回転するローラシェルに回転アンバランスが生じると、回転時に振動が発生する。この振動を軽減するために回転アンバランスを修正する必要がある。図５はその修正のための従来例を示している。図５は図４のうちの実線で囲った部分Ａを拡大したもので、１１はローラシェル１とジャーナル２とを一体的に連結するための締付ボルトである。
【０００５】
ローラシェル１の端面には予めタップ穴１２が設けてあり、ジャーナル２の表面に設けられてある孔１３から挿通された締付ボルト１１が、タップ穴１２に捩じ込まれることによって、ローラシェル１とジャーナル２とが一体的に連結される。回転アンバランスが生じるときは、そのアンバランスの位相に対応する個所に、アンバランスの重さに見合う穴４４を切削するなどして加工し、そのアンバランスを修正する。
【０００６】
図６は別の従来例を示し、ジャーナル２の表面に、ローラシェル１の回転中心を中心とする円の円周に沿って溝４５を切削するなどして加工しておく。回転アンバランスが生じるときは、溝４５のうちのアンバランスの位相に対応する個所に、アンバランス修正用の重錘４６を落とし込み、また落とし込む位置にタップ穴４７を加工し、重錘４６を貫通する取付ボルト４８をタップ穴４７に捩じ込むことによって、重錘４６を溝４５の中に固定する。４９は溝１５を覆うカバーである。
【０００７】
このような従来例によれば、いずれもアンバランス修正個所をジャーナル２に設けている。そのため穴４４の深さ、あるいは重錘４６の長さは、ジャーナル２の肉厚（ローラシェル１の回転中心方向に沿う厚さ）を限度としている。したがってアンバランスの量が小さい場合は、その修正は可能であるとしても、アンバランスの量が大きいときは、これら従来構成ではアンバランスの修正は困難あるいは不可能となることがある。
【０００８】
また従来例に示すように重錘を使用する場合、その設置位置はローラシェル１とジャーナル２との連結個所よりも、ローラシェル１の回転中心側に近寄っているため、その回転モーメントは、重錘の設置位置がローラシェル１の外周面側に近い場合よりもが小さくなる。そのため、同じアンバランスの量を修正するときの重錘として、どうしても重いものを使用せざるを得なくなる。そしてまた重い重錘を設置することができない場合は、アンバランスの修正量は自ずと制限されることになる。
【０００９】
他の従来例を図７に示す。この構成は、ローラシェル１の内面にその軸心方向に沿って重錘５０を固定して設置したものである。図８は図７の中央断面図である。この構成によれば、重錘５０としてローラシェル１の軸心方向に沿う長さに対応する長さのもの設置することができるので、アンバランスの修正量を十分大きくすることができる。
【００１０】
しかしこの種のアンバランスの修正に際しては、ローラシェルにジャーナルを締付ボルトにより取付けた状態で、アンバランス測定装置に装架して測定するので、アンバランス修正のために重錘５０を設置しようとするときは、アンバランス測定装置より降ろし、締付ボルトを取り外してジャーナルを取り除くことにより解体しなければならない。したがってその作業は面倒である。
【００１１】
【発明が解決しようとする課題】
本発明は、回転する誘導発熱ローラの回転アンバランスを修正するにあたり、その修正量が大きい場合でも、その修正を可能とするとともに、その修正のために使用する重錘の軽量化を図り、かつ修正のための作業の簡易化を図ることを目的とする。
【００１２】
【課題を解決するための手段】
本発明は、誘導発熱して回転するローラシェルと、前記ローラシェルの端面に締付ボルトにより固定されるジャーナルを備えた誘導発熱ローラ装置において、前記ローラシェルの肉厚内に、前記ローラシェルの回転軸心方向に沿って延びる穴を設けるとともに、この穴に連なる貫通孔を前記ジャーナルに設け、この穴の内部に、回転アンバランスを修正するための重錘を挿入し、この重錘を、前記ジャーナルに設けた貫通孔より挿入された押えネジにより押さえつけて、穴の内部に固定ことを主な特徴とする。
【００１３】
回転アンバランスを修正する重錘は、ローラシェルの肉厚内に設けた穴に収納されることになる。したがってその穴の最長深さは、ローラシェルの長さに対応する程度まで深くすることができるので、重錘としては、十分に長いものを使用することができ、したがって回転アンバランスが大きい場合でも、その修正は可能である。
【００１４】
重錘は、ジャーナルに設けた貫通孔より穴に挿入され、この貫通孔より挿入される押えネジにより固定されるので、重錘の設置にあたって、ジャーナルをローラシェルから取り外す解体作業は不要である。
【００１５】
また重錘を収納する穴は、ローラシェルの外周壁面に近い位置に設けられるため、重錘の回転運動半径は大きくなり、これに応じて重錘の回転モーメントは大きくなる。したがって同じ量の回転アンバランスを修正する場合は、その重錘として小さい重量のもので足りることになる。
【００１６】
なお本発明による修正手段は修正量が大きい場合に特に有効である。もちろん修正量が小さい場合でも本発明は適用可能であるが、修正量を微調整するような場合は、さきに従来例として示した構成を併用するようにしてもよい。
【００１７】
【発明の実施の形態】
本発明の実施態様を図１によって説明する。なお図４、図５に示す符号と同じ符号を附した部分は同一または対応する部分を示す。本発明にしたがい、ローラシェル１の肉厚部分１５に、ローラシェル１の回転軸心方向に沿って延びる穴１６（以下、この穴を空間という。）を設ける。具体的にはローラシェル１の端面側から機械加工により穴を開けて形成する。
【００１８】
１７はアンバランス修正用の重錘で、棒状に形成されてあり、空間１６に挿入される。重錘１７には肩部１８があり、また空間１６には段部１９があり、挿入された重錘１７はその肩部１８が段部１９に係合する。ジャーナル２にはその肉厚部分を貫通する孔２０が、空間１６に連続するように設けてあり、この孔２０にねじ部２１が形成されてあって、このねじ部２１に押えネジ２２が捩じ込まれる。この捩じ込みによって肩部１８が段部１９に押しつけられ、この押しつけによって重錘１７が空間１６の内部に固定される。
【００１９】
ローラシェル１には予めその円周方向に沿って複数の空間１６が設けてあり、またジャーナル２にも孔２０が各空間１６に対応する位置に設けてある。ローラシェル１にジャーナル２を締付ボルト１１により取り付けた状態でアンバランス測定装置に装架される。アンバランスが生じた場合は、その位相に対応する位置にある空間１６に、そのアンバランスの量に相当する重量の重錘１７を挿入し、押えネジ２２によって固定する。
【００２０】
このような構成によれば重錘の設置に際してはジャーナル２をローラシェル１から取り外す解体作業は不要であり、またアンバランス測定装置に装架したままで重錘の設置作業が可能である。また重錘１７はローラシェル１の肉厚部分にあって、その外周面に近い位置にあり、そのためローラシェル１の回転に伴う重錘１７の回転運動半径は、図６に示すような位置に取り付けた場合の重錘の回転運動半径よりも大きい。したがってそれだけ回転モーメントが大きくなるので、同じ量のアンバランスを修正するのに、軽量の重錘が使用できることとなる。
【００２１】
なお図２は図１のローラシェル１の、その円周方向に沿う一部の断面図を示すもので、２３はローラシェル１の肉厚部分に設けられたジャケット室で、これはローラシェル１の肉厚部分に機械加工により開けられた孔によって構成されている。２４はジャケット室２３の内部に封入されている気液二相の熱媒体である。
【００２２】
図３は本発明の他の実施態様を示すもので、図１における孔２０として、締付ボルト１１が捩じ込まれる孔１３を利用し、タップ穴１２の先端に連続して空間１６を設けたものである。この構成では空間１６の入口側にねじ部２１を設け、このねじ部２１に押えネジ２２が捩じ込まれる。この捩じ込みによって重錘１７が空間１６内に固定されることは、図１の場合と同じである。
【００２３】
この構成において、アンバランスの修正に際しては、図１の場合と同様に、アンバランスの位相に対応する個所の空間１６に重錘１７を設置すればよく、この場合ではアンバランスの位相に対応する個所にある締付ボルト１１を取外して空間１６を露出させ、重錘１７を挿入し、押えネジ２２をねじ部２１に捩じ込んで固定すればよい。この場合でもジャーナル２をローラシェル１から取り外す解体作業は不要であり、かつアンバランス測定装置から降ろす必要もない。
【００２４】
このようにすると図１に示す孔２０を設ける必要はないし、また複数の締付ボルト１１がジャーナル２の表面に円周方向に沿って取り付けられたことにより、隣合う締付ボルト１１の間、したがって隣合うタップ穴１２の間が狭くなって、重錘１７を収納するのに必要な空間１６を設ける余裕がない場合でも、この空間１６をローラシェル１の肉厚部分に設けることができる利点がある。
【００２５】
なお図４に示す誘導発熱ローラ装置は、ローラシェルをその両側で支持する両持式の構成としているが、ローラシェルをその片側だけで支持する片持式のものでも本発明が適用できることはいうまでもない。
【００２６】
【発明の効果】
以上説明したように本発明によれば、ローラシェルの回転アンバランスを修正する重錘を、ローラシェルの肉厚内に、その軸心方向に沿って延びる穴に収納するようにしたので、この穴の長さに対応する長さの重錘までローラシェルに設置することができ、したがってアンバランスが大きい場合でも、これを修正するのに必要な重い重錘を設置することができ、また重錘の設置に際してジャーナルをローラシェルから取り外す解体作業は不要であるし、更にローラシェルの肉厚部分はローラシェルの外周面に近い個所であることにより、ここに設置される重錘の回転モーメントは、これより内側に設置する場合よりも大きくなり、したがって同じ大きさの回転アンバランスを修正するのに軽量の重錘が利用できるようになるといった効果を奏する。
【図面の簡単な説明】
【図１】本発明の実施態様を示す部分断面図である。
【図２】図１の部分横断面図である。
【図３】本発明の他の実施態様を示す部分断面図である。
【図４】誘導発熱ローラ装置の断面図である。
【図５】従来例の部分断面図である。
【図６】他の従来例の部分断面図である。
【図７】他の従来例を示す誘導発熱ローラ装置の断面図である。
【図８】図７の中央横断面図である。
【符号の説明】
１  ローラシェル
２  ジャーナル
１１  締付ボルト
１２  ねじ部
１３  孔
１６  空間
１７  重錘
２２  押えネジ
【図１】
0004069994.tif 000002
【図２】
0004069994.tif 000003
【図３】
0004069994.tif 000004
【図４】
0004069994.tif 000005
【図５】
0004069994.tif 000006
【図６】
0004069994.tif 000007
【図７】
0004069994.tif 000008
【図８】
0004069994.tif 000009